(57)【要約】【課題】従来の液晶表示装置は、透過部の配向領域分割のために誘電体突起構造を付加する必要があり、製造コストが増加するといった問題点があった。本発明は、製造コストを増加することなく、階調反転の発生しない液晶表示装置を得ることを目的とする。【解決手段】液晶表示装置において、各画素内に透過部と反射部が設けられており、透過部においては、アレイ基板上の液晶層側に、ともに櫛歯形状の画素電極と共通電極が設けられ、かつ、電圧を印加していない状態での液晶層が、略１／２波長の位相差であり、また、反射部においては、アレイ基板上の液晶層側に反射電極が設けられ、かつ、対向基板上の液晶層側に対向電極が設けられ、かつ、電圧を印加していない状態での液晶層が、略１／４波長の位相差であり、アレイ基板および対向基板の液晶層と反対側に、略１／２波長の位相差フィルムと、偏光フィルムとを備える。【選択図】図３
2005257904.tif 000002
【特許請求の範囲】
【請求項１】
マトリクス状に画素が配置されたアレイ基板と、
該アレイ基板に平行に配置される対向基板と、
両基板間に挟持された液晶とから構成される液晶表示装置において、
各画素内に透過部と反射部が設けられ、
前記透過部においては、
前記アレイ基板上の液晶層側に、ともに櫛歯形状の画素電極と共通電極が設けられ、
かつ、電圧を印加していない状態での液晶層が、略１／２波長の位相差であり、
前記反射部においては、
前記アレイ基板上の液晶層側に反射電極が設けられ、
かつ、前記対向基板上の液晶層側に対向電極が設けられ、
かつ、電圧を印加していない状態での液晶層が、略１／４波長の位相差であり、
前記アレイ基板および前記対向基板の液晶層と反対側にそれぞれ、略１／２波長の位相差フィルムと、偏光フィルムとを備えることを特徴とする液晶表示装置。
【請求項２】
前記アレイ基板上の前記櫛歯形状の画素電極が、透明な材質である請求項１記載の液晶表示装置。
【請求項３】
前記アレイ基板上の前記櫛歯形状の共通電極が、透明な材質である請求項１記載の液晶表示装置。
【請求項４】
前記対向基板上の前記共通電極が、ストライプ形状である請求項１記載の液晶表示装置。
【発明の詳細な説明】
【技術分野】
【０００１】
この発明は、量産性に優れ、周囲光の明るさや観察方向によらず、良好な表示が可能な液晶表示装置に関する。
【背景技術】
【０００２】
従来の液晶表示装置は、たとえば特許文献１の図１Ａおよび図１Ｂに示されるように、透過部と反射部のいずれにおいても、アレイ基板側と対向基板側の両方に電極が設けられており、アレイ基板側電極と対向基板側電極との間に生じる縦電界によって液晶配向が変化する。
【０００３】
この場合、液晶分子の立ち上がり方向に対応する特定の観察方向において、透過部の階調反転現象が生じる。階調反転現象とは、表示されるべき画像の明暗が逆になるような現象であり、階調反転が発生すると、表示画像は非常に見にくくなってしまう。
【０００４】
この課題に対して、透過部、反射部とも、複数の配向領域に分割したＣＰＡモードが提案されている。ＣＰＡモードに関しては、たとえば非特許文献１に、透過部と反射部を有する液晶表示装置への応用に関しては、たとえば非特許文献２に詳しく解説されている。液晶分子の立ち上がり方向（文献の場合は垂直配向モードなので、液晶分子の寝る方向）が反対となる配向領域を設けることによって、特定の観察方向における階調反転の発生を抑制することが可能になる。しかしながら、配向領域分割には、液晶分子の立ち上がり方向（あるいは寝る方向）を制御するために複雑な形状の誘電体突起構造を付加する必要があり、製造コストの増大を招く。
【０００５】
これに対して、たとえば非特許文献３に記載されているように、液晶パネル面内方向に電界を加えて、面内方向に配向を変化させる方法（ＩＰＳ：In-Plane Switching）が提案されている。非特許文献４はＩＰＳモードにおける透過度を定量的に解析したものである。しかし、非特許文献４は液晶表示装置としての構成を与えるものではない。
【０００６】
【特許文献１】特開２０００−１８７２２０号公報
【非特許文献１】“ＡＭ−ＬＣＤ  '０１”１０１頁
【非特許文献２】「セミコンダクターＦＰＤワールド」２００３年１２月号，１０４頁
【非特許文献３】“ＡＳＩＡ  ＤＩＳＰＬＡＹ  '９５”５７７頁
【非特許文献４】“Jpn. J. Appl. Phys.”40, pp.195-199(2001)
【発明の開示】
【発明が解決しようとする課題】
【０００７】
従来の液晶表示装置は、透過部の配向領域分割のために、誘電体突起構造を付加する必要があり、製造コストが増加するといった問題点があった。
【０００８】
この発明は、上記の問題点を解決するためになされたものであり、製造コストが増加することなく、階調反転の発生しない液晶表示装置を得ることを目的とするものである。
【課題を解決するための手段】
【０００９】
この発明に係る液晶表示装置においては、各画素内に透過部と反射部が設けられており、透過部においては、アレイ基板上の液晶層側に、ともに櫛歯形状の画素電極と共通電極が設けられ、かつ、電圧を印加していない状態での液晶層が、略１／２波長（以下、波長をλとする）の位相差であり、また、反射部においては、アレイ基板上の液晶層側に反射電極が設けられ、かつ、対向基板上の液晶層側に対向電極が設けられ、かつ、電圧を印加していない状態での液晶層が、略λ／４の位相差であり、アレイ基板および対向基板の液晶層と反対側にそれぞれ、略λ／２の位相差フィルムと偏光フィルムとを備えたものである。
【発明の効果】
【００１０】
この発明によれば、透過部においては、アレイ基板上の液晶層側に、ともに櫛歯形状の画素電極と共通電極を備えたので、主として基板面内方向に電界が印加され、液晶配向が面内でねじれ変形を起こす。櫛歯形状の電極近傍の液晶分子は立ち上がるものの、電極の両側で立ち上がり方向が逆になるため、補償効果が得られる。したがって、あらゆる観察方向で階調反転の発生を抑制することができる。
【００１１】
また、この発明によれば、反射部においては、アレイ基板と対向基板の両基板上の液晶層側にそれぞれ画素電極と共通電極を備えたので、従来の液晶表示装置と同等の反射表示特性を得ることができる。
【００１２】
さらに、この発明によれば、電圧を印加していない状態での透過部液晶層を略λ／２の位相差、反射部液晶層を略λ／４の位相差とし、かつ、アレイ基板および対向基板の液晶層と反対側に、略λ／２の位相差フィルムと、偏光フィルムとを備えたので、透過部、反射部ともに、電圧非印加時あるいは、低電圧印加時に暗状態、高電圧印加時に明状態を表示させることができる。
【発明を実施するための最良の形態】
【００１３】
実施の形態１
図１〜３は、この発明を実施するための実施の形態１による液晶表示装置を説明するための図である。図１はアレイ基板上の１つの画素内での電極の配置を示す平面図、図２は対向基板上の１つの画素内での電極の配置を示す平面図である。図３は図１中Ａ−Ａ’で示した透過部の断面構造を示す断面図（左図）、およびＢ−Ｂ’で示した反射部の断面構造を示す断面図（右図）である。なお、図１〜３においては、補助容量に対応する構造の記載は省略した。
【００１４】
図１において、透過部では画素電極１、共通電極２ともに屈曲した櫛歯形状になっており、互いにその長辺が向かい合うように設けられている。図では画素電極の中央部で共通電極と重なっているが、２つの電極間には絶縁膜が設けられているため、電気的に接続されていない。画素電極はその端部において反射電極３と接続されている。反射電極はコンタクトホール４を介してドレイン電極５に接続されている。スイッチ素子であるＴＦＴ（薄膜トランジスタ）は、ドレイン電極、ソース電極６、ゲート電極７、アモルファスシリコン膜、絶縁膜などから構成されている（図ではアモルファスシリコン膜や絶縁膜などは記載が省略されている。）。
【００１５】
ソース電極はソース線８（信号線とも呼ぶ）、ゲート電極はゲート線９から引き出されている。
【００１６】
図２において、図１の反射部Ｃと対向する位置に対向電極１０が設けられている。なお、図２において、カラー表示のためのカラーフィルタや、遮光のためのブラックマトリクスなどの記載は省略されている。
【００１７】
図３を用いて、断面構造とともに、電圧印加時における電界の様子と、それに対する液晶配向の変形の様子を説明する。なお本発明では、液晶分子が電界に対して平行になろうとするＰ（ポジ）型液晶を用いる。
【００１８】
図３において、アレイ基板１１の液晶層と反対側には略λ／２の位相差を有する位相差フィルム１２、偏光フィルム１３が配置されている。対向基板１４側にも、略λ／２の位相差を有する位相差フィルム１５、偏光フィルム１６が配置されている。ここでλは視感度の高い波長、すなわち約５５０ｎｍを指す。また、反射部（右図）の対向電極１０上には有機膜１９が設けられている。アレイ基板、対向基板上の液晶層と接する部分には配向膜１７が形成されており、アレイ基板側、対向基板側の配向膜は図３中、Ｄで示された方向にラビングによる配向処理がされている。Ｄ１は紙面の手前（表面）から背面へ向かう方向、Ｄ２は紙面の背面から表面へ向かう方向である（ラビング処理方向については図１、２中の矢印Ｄでも示した。）。
【００１９】
図３左の透過部断面図において、画素電極１と共通電極２との間に電圧が印加されていない場合には、液晶分子１８は、紙面に対しほぼ奥行き方向に一軸水平配向しているが、両電極間に電圧が印加されると、図中矢印で示されたような電界が発生し、液晶分子がねじれ変形をする（配向膜界面付近の液晶分子はほぼ配向処理方向に固定される。）。
【００２０】
ねじれる方向を制御するために、櫛歯形状の電極は配向処理方向に対して、１５度程度の角度をなすように形成されている（したがって図１の透過部においては、上半分の液晶層は反時計回り、下半分の液晶層は時計回りにねじれる。）。
【００２１】
図３では縦方向に対して横方向が実際より圧縮して描いてあるが、本実施例の場合、液晶層の厚さが３．１ミクロンであるのに対して、電極幅５ミクロン、電極間隔１０ミクロンであるので、印加される電界は横方向の成分が主となる。電極上あるいは電極近傍では縦方向の電界成分が大きく、この領域の液晶分子は立ち上がるものの、立ち上がり方向が逆になる領域が同じ電極上、あるいは対向する電極側に必ず形成される。
【００２２】
したがって、透過部液晶層の大部分は基板面に平行な面内での変形が主となり、液晶がある特定の方向に立ち上がることがないので、階調反転が発生しない。
【００２３】
図３右の反射部断面図において、反射電極３と対向電極１０との間に電圧が印加されていない場合には、液晶分子１８は、紙面に対しほぼ水平方向に一軸水平配向しているが、両電極間に電圧が印加されると、図中矢印で示されたような縦方向の電界が発生し、液晶分子は立ち上がる。配向膜界面での液晶分子は、配向処理方向に対して、数度の角度がついており（プレチルト角と呼ぶ）、その角度によって定められた方向に立ち上がる。
【００２４】
実施の形態１にかかわる実施例（実施例１）においては、アレイ基板側の共通電極と対向基板側の対向電極は、表示領域外で接続され同電位が印加されるようにした。したがって、透過部の画素電極−共通電極間と反射部の反射電極−対向電極間にはほぼ同じ電圧が印加される。
【００２５】
次に液晶、位相差フィルム、偏光フィルムについて説明する。液晶材料にはメルク（株）製のＺＬＩ４５３５を用いた。複屈折Δｎは０．０８６５（２０℃、５８９ｎｍでの値）、誘電率異方性Δεは＝＋１４．８（２０℃、１ｋＨｚでの値）である。液晶層の厚さは、透過部を３．１ミクロン、反射部を１．５５ミクロンとした。
【００２６】
位相差フィルムと偏光フィルムについては、表１にまとめた。
【００２７】
【表１】
2005257904.tif 000003
【００２８】
ここで、各軸方向については、液晶表示装置を正面から見た場合に、右方向（時計で３時の方向）を基準（０度）として、反時計回りを＋とした（液晶層の配向方向は９０度または２７０度となる。）。
【００２９】
位相差については、波長が５５０ｎｍでの値とした。位相差フィルムにはＪＳＲ社のアートンフィルム、偏光フィルムには日東電工（株）製のＥＧ１４２５を用いた。各フィルムは粘着フィルムを用いて基板に貼り付けたが、対向基板側位相差フィルムの粘着フィルムには拡散特性を有するものを用いた。
【００３０】
次に、本実施例の液晶表示装置における、明表示、暗表示の原理を、図４および図５を用いて説明する。図５（ａ）のＴＤは透過部の暗状態（電圧非印加状態）、図５（ｂ）のＴＢは明状態（電圧印加状態）、図５（ｃ）のＲＤは反射部の暗状態（電圧非印加状態）、図５（ｄ）のＲＢは明状態（電圧印加状態）の説明図である。ＴＤ、ＴＢ、ＲＤ、ＲＢの各図では、液晶表示装置を正面から見た場合の、対向基板側位相差フィルムの遅軸方向Ｆ、アレイ基板側位相差フィルムの遅軸方向Ｒ、液晶の配向方向ＬＣ、各フィルムや液晶層を通過した後の偏光方向２１〜２４、３１〜３４が示されている。Ｆ、Ｒ、ＬＣ、２１〜２４、３１〜３４の位置関係を図４に図示した（図４には、偏光フィルムＰ１、Ｐ２も合わせて示されている。）。
【００３１】
まず、透過部の暗状態（図５（ａ））について説明する。λ／２の位相差フィルムは、直線偏光の偏光方向を、偏光方向と位相差フィルムの遅軸方向のなす角だけ、遅軸方向の反対側に回転させる働きを持つ。したがって、アレイ基板側偏光フィルムを透過した１６５度方向の直線偏光２１は、アレイ基板側位相差フィルムＲによって、偏光方向が１３５度の直線偏光２２になる。透過部液晶層もλ／２の位相差を有するため、位相差フィルムと同じ働きをする。したがって、液晶層ＬＣを通過した直線偏光２３は、４５度の偏光方向になる。同様にして対向基板側位相差フィルムＦを通過した直線偏光２４は１５度の偏光方向になる。これは対向基板側偏光フィルムの透過軸方向と直交するため、暗状態が表示される。
【００３２】
同様にして、透過部の明状態（図５（ｂ））について説明する。アレイ基板側位相差フィルムＲを通過したところまでは暗状態と同じである。液晶層ＬＣは、電圧印加により、ねじれ変形するが、平均して４５度ねじれることが、たとえば前記非特許文献３に示されている。図では、時計回り方向にねじれた場合を示している。すると、直線偏光２２と液晶の配向方向は直交するため、液晶層透過後も直線偏光の偏光方向は変化しない。その後、対向基板側位相差フィルムＦによって、偏光方向が１０５度の直線偏光２４となる。これは、対向基板側偏光フィルムの透過軸方向と平行であるため、明状態が表示される。説明は省くが、液晶層が反時計回りにねじれた場合も、同じ明状態になる。
【００３３】
次に、反射部の暗状態（図５（ｃ））について説明する。反射部では、アレイ基板側の位相差フィルムと偏光フィルムは表示に関与しない。対向基板側偏光フィルムを透過した１０５度方向の直線偏光３１は、対向基板側位相差フィルムＦによって、偏光方向が１３５度の直線偏光３２になる。反射部では液晶層を往復するため、λ／４の位相差の液晶層は、λ／２の位相差となる。したがって、液晶層ＬＣを通過した直線偏光３３は４５度の偏光方向になる。再び対向基板側位相差フィルムを通過した直線偏光３４は、偏光フィルムの透過軸と直交し、暗状態となる。
【００３４】
最後に、反射部の明状態（図５（ｄ））について説明する。対向基板側位相差フィルムＦを通過したところまでは暗状態と同じである。反射部の液晶層は、電圧印加により、立ち上がり、位相差が小さくなる。ここでは、電圧が非常に高く、位相差が無視できるとして説明する。すると、液晶層ＬＣを通過しても偏光方向は変化しない（３２と３３）。再び、対向基板側位相差フィルムを通過した直線偏光は、その偏光方向が偏光フィルムの透過軸方向と平行になり、明状態となる。実際には液晶層の位相差は少し残るため、３３と３４ではやや直線偏光がくずれ、本説明での理想的な状態よりも僅かに明るさが減少する。
【００３５】
位相差フィルム、偏光フィルムの各軸方向および液晶配向方向については、上記の組合せに限ったものではない。また、位相差フィルムと液晶層の位相差の波長分散を補正するためにアレイ基板および対向基板の各基板と偏光フィルムとの間に別の位相差フィルムを付加してもよい。
【００３６】
次に液晶表示装置の作製方法について簡単に説明する。
【００３７】
まず、アレイ基板の作製方法について説明する。ガラス基板上に金属クロム膜を３００ｎｍ成膜し、写真製版によって、ゲート線、ゲート電極、共通電極を形成する。次にシリコン窒化膜（絶縁膜）を４００ｎｍ成膜する。続いて、アモルファスシリコン膜を１００ｎｍ、ドープドアモルファスシリコン膜を１００ｎｍ、連続して成膜し、写真製版によってＴＦＴ部を形成する。再び金属クロム膜を３００ｎｍ成膜し、写真製版によって、ソース線、ソース電極、ドレイン電極を形成する。次にシリコン窒化膜（絶縁膜）を４００ｎｍ成膜し、写真製版によってコンタクトホールを形成する。続いて、ＩＴＯ膜を１００ｎｍ成膜し、写真製版によって画素電極を形成する。最後に、金属クロムを１００ｎｍ、金属アルミニウムを２５０ｎｍ、連続して成膜し、写真製版によって反射電極を形成する。
【００３８】
次に対向基板の作製方法のうち、本発明に係る部分について説明する。ガラス基板上に赤（Ｒ）、緑（Ｇ）、青（Ｂ）のカラーフィルタを作製した後、ＩＴＯ膜を１００ｎｍ成膜し、写真製版によって、反射部に相当する部分に対向電極を形成する。次に有機膜（ＪＳＲ（株）製のオプトマーＰＣ３３５を使用）を１．２ミクロン塗布し、写真製版によって、反射部以外の部分を取り除く。
【００３９】
上記のようにして作製したアレイ基板と対向基板を用いて液晶パネルを作製する方法について説明する。アレイ基板、対向基板とも、配向膜（ＪＳＲ（株）製のオプトマーＡＬ３０４６を使用）をおよそ８０ｎｍ成膜し、図１、２で示した方向にラビング処理を行なう。次に、対向基板側に樹脂製スペーサ（積水ファインケミカル（株）製のミクロパールを使用）を散布する。一方、アレイ基板側には、基板周辺部にシール剤を塗布する。続いて、アレイ基板と対向基板を所定の方向に重ね合わせて、熱圧着して貼り合わせる。その後、シール剤の開口部から、液晶を注入する。注入後、紫外線硬化性樹脂（（株）スリーボンド製の３０５２Ｂを使用）を用いて、シール剤の開口部（液晶注入口）を封止する。
【００４０】
本実施例の液晶表示装置の表示特性について説明する。図６に透過率の印加電圧依存性を示す。透過率のリファレンスは偏光フィルムや位相差フィルムなどのフィルムが貼り付けられていない液晶表示装置の透過光強度である。光源にはＬＥＤバックライト（シーシーエス（株）製の白色ＬＥＤ光源ＬＤＬ−ＴＰシリーズ）を用い、検出器には輝度計（（株）トプコン製のＢＭ−５Ａ）を用いた。図７に反射率の印加電圧依存性を示す。反射率のリファレンスは拡散粘着フィルムのみ貼り付けてある液晶表示装置である。光源にはハロゲン光（（株）モリテックス製）を用い、パネル正面から上方へ１５度傾いた方向から入射させ、検出器には透過率測定と同じ輝度計を用いた。本実施例の液晶表示装置は、透過部、反射部とも電圧非印加時（あるいは１Ｖ未満の低電圧印加時）には良好な暗状態が得られ、４〜５Ｖの電圧印加時には、明状態が得られた。これらの結果から、本実施例の液晶表示装置の黒表示電圧を０Ｖ、白表示電圧を４．５Ｖとした。
【００４１】
図８〜１１に液晶表示装置を斜め方向から見た場合の透過率の変化を示す。透過率のリファレンスは正面でのフィルムなし液晶表示装置の透過光強度である。光源、検出器は、透過率の電圧依存性測定の場合と同じである。図８は見る角度を左右方向に変えた場合、図９は上下方向、図１０は右上から左下方向、図１１は左上から右下方向に変えた場合である。透過率は、正面での透過率で８階調分を測定した。いずれの観察方向においても、表示階調の異なる透過率曲線の高低が逆転するような現象、すなわち階調反転現象の発生は見られなかった。
【００４２】
実施の形態２
図１２は、この発明を実施するための実施の形態２による液晶表示装置を説明するための図である。電極などの平面配置は実施例１と同じである。図１２において、図３と同一の符号を付したものは、同一またはこれに相当するものである。
【００４３】
実施の形態２にかかわる実施例では、透過部と反射部の液晶層の厚みに差をつけるための有機膜を、対向基板側ではなく、アレイ基板側に形成した。本実施例の表示特性は、実施例１の場合とほぼ同じであり、観察者の方向によらず、階調反転は見られなかった。
【００４４】
実施の形態３
図１３、１４は、この発明を実施するための実施の形態３による液晶表示装置を説明するための図である。図１３はアレイ基板上の平面図であり、図１４は図１２中Ａ−Ａ’で示す透過部の断面図である。対向基板上の平面構造および反射部の断面構造は実施例１と同じである。図１３、１４において、それぞれ図１、３と同一の符号を付したものは、同一またはこれに相当するものである。
【００４５】
実施の形態３にかかわる実施例では、共通電極を不透明な金属クロムではなく、透明なＩＴＯ膜で形成した。アレイ基板の作製時において、共通電極はゲート線、ゲート電極と同時ではなく、画素電極と同時に形成した。この部分を除いては、実施例１の場合と同様の手順で、液晶表示装置を作製した。
【００４６】
本実施例の表示特性については、透過部の透明部分が共通電極の面積分だけ増えたことに対応して、透過光量が実施例１の場合と比較して２５％ほど大きくなり、明るい表示が可能になった。階調反転については、実施例１の場合と同様に観察者の方向によらず、階調反転は見られなかった。
【００４７】
上記の実施の形態１〜３においては、画素電極には全て透明なＩＴＯ膜を用いたが、反射電極と同じ不透明な金属材料を用いて、反射電極と同時に形成した場合でも、階調反転のない液晶表示装置が得られる。画素電極に透明なＩＴＯ膜を用いた場合は、透過部の透過光量が大きくなり、明るい表示が得られ、バックライトの輝度を下げることができる。
【００４８】
また、反射電極には金属アルミニウムを用いたが、銀合金など他の金属材料を用いてもよい。
【００４９】
液晶の配向方向と、櫛歯形状の画素電極、共通電極とのなす角度を、１５度としたが、５度から２０度の範囲であればよい。小さすぎると、所定の方向とは反対方向にねじれる配向不良が出やすくなり、大きすぎると、白表示電圧が高くなる。
【００５０】
ソース線は液晶表示装置の縦方向にまっすぐな直線形状としたが、透過部の櫛歯形状の電極に合わせて屈曲させてもよい。これにより、共通電極とソース線の間のデッドスペースを小さくすることができる。もちろん、画素自身の形状もソース線に合わせて一部屈曲させてもよい。
【００５１】
対向基板側の対向電極は、液晶表示装置全体としてみると、水平なストライプ形状であるが、反射電極の平面形状に合わせてストライプ形状でなくともよい。ただし、反射部は液晶層の厚さの調整のため、有機膜もほぼ対向電極と同様な形状にする必要があるが、ストライプ形状のようなシンプルな形状の方が作製が容易であり、製造コストが低くなる。
【図面の簡単な説明】
【００５２】
【図１】実施の形態１の液晶表示装置のアレイ基板を説明するための図である。
【図２】実施の形態１の液晶表示装置の対向基板を説明するための図である。
【図３】実施の形態１の液晶表示装置の断面構造を説明するための図である。
【図４】実施の形態１の液晶表示装置の表示原理を説明するための図である。
【図５】実施の形態１の液晶表示装置の表示原理を説明するための図である。
【図６】実施の形態１の液晶表示装置の透過特性を説明するための図である。
【図７】実施の形態１の液晶表示装置の反射特性を説明するための図である。
【図８】実施の形態１の液晶表示装置の階調特性（左右方向）を説明するための図である。
【図９】実施の形態１の液晶表示装置の階調特性（上下方向）を説明するための図である。
【図１０】実施の形態１の液晶表示装置の階調特性（斜め方向）を説明するための図である。
【図１１】実施の形態１の液晶表示装置の階調特性（斜め方向）を説明するための図である。
【図１２】実施の形態２の液晶表示装置の断面構造を説明するための図である。
【図１３】実施の形態３の液晶表示装置のアレイ基板を説明するための図である。
【図１４】実施の形態３の液晶表示装置の断面構造を説明するための図である。
【符号の説明】
【００５３】
１  画素電極、  ２  共通電極、  ３  反射電極、  ４  コンタクトホール、  ５  ドレイン電極、  ６  ソース電極、  ７  ゲート電極、  ８  ソース線、  ９  ゲート線、  １０  対向電極、  １１  アレイ基板、  １２  アレイ基板側位相差フィルム、  １３  アレイ基板側偏光フィルム、  １４  対向基板、  １５  対向基板側位相差フィルム、  １６  対向基板側偏光フィルム、  １７  配向膜、  １８  液晶分子、  １９  有機膜。
【図１】
2005257904.tif 000004
【図２】
2005257904.tif 000005
【図３】
2005257904.tif 000006
【図４】
2005257904.tif 000007
【図５】
2005257904.tif 000008
【図６】
2005257904.tif 000009
【図７】
2005257904.tif 000010
【図８】
2005257904.tif 000011
【図９】
2005257904.tif 000012
【図１０】
2005257904.tif 000013
【図１１】
2005257904.tif 000014
【図１２】
2005257904.tif 000015
【図１３】
2005257904.tif 000016
【図１４】
2005257904.tif 000017